(57)【要約】【課題】壁下地から留め具を外す必要なく、外装材の取り外しや取り付けを行なうことができる留め具を提供する。【解決手段】隣り合う外装材１の実部２を係止して壁下地３に取り付けるための留め具Ａに関する。壁下地３に固定される留め具本体４に設けられ、外装材１の背面に当接して外装材１と留め具本体４との間に間隙５を形成するためのスペーサ凸部６と、留め具本体４に設けられると共に先端部を屈曲して形成され、一方の外装材１ｂの実部２に係止される第一係止片７と、留め具本体４にスライド自在に取り付けられたスライド具８と、スライド具８に設けられると共に先端部が第一係止片７の屈曲方向と逆方向に屈曲して形成され、スライド具８のスライドで他方の外装材１ａの実部２に係止されると共に、スライド具８の逆方向へのスライドで実部２との係止が解除される第二係止片９と、を具備する。【選択図】図１
2010126952.tif 000002
【特許請求の範囲】
【請求項１】
隣り合う外装材の対向する各端部の実部を係止して、この各外装材を壁下地に取り付けるために用いられる留め具であって、固着具を打入することによって壁下地に固定される留め具本体と、留め具本体に屋外側へ突出して設けられ、先端が外装材の背面に当接して外装材と留め具本体との間に間隙を形成するためのスペーサ凸部と、留め具本体に屋外側へ突出して設けられると共に先端部を屈曲して形成され、隣り合う一方の外装材の端部の実部に係止される第一係止片と、留め具本体の屋外面に往復スライド自在に取付けられたスライド具と、スライド具に屋外側へ突出して設けられると共に先端部が上記第一係止片の屈曲方向と逆方向に屈曲して形成され、スライド具が第一係止片の屈曲方向と逆方向へスライドすることによって隣り合う他方の外装材の端部の実部に係止されると共に、スライド具が第一係止片の屈曲方向へスライドすることによって実部との係止が解除される第二係止片と、を具備して成ることを特徴とする外装材の留め具。
【請求項２】
スライド具に長孔を設け、長孔を通したピンでスライド具を留め具本体に取り付けて成ることを特徴とする請求項１に記載の外装材の留め具。
【請求項３】
留め具本体の屋外面に、上記スペーサ凸部の突出寸法より小さい寸法で突出するガイドレールを設け、上記スライド具をこのガイドレールにスライド自在に取り付けて成ることを特徴とする請求項１又は２に記載の外装材の留め具。
【請求項４】
固着具を打入する箇所において留め具本体に固定部を設け、上記スライド具を実部との係止が解除される方向にスライドさせた際に、スライド具が固定部に乗り上げて保持されるように、固定部を屋外側へ膨出させて形成して成ることを特徴とする請求項１乃至３のいずれか１項に記載の外装材の留め具。
【請求項５】
請求項１乃至４のいずれか１項に記載の留め具を壁下地に固定し、この留め具で外装材を壁下地に取り付け、あるいは留め具から外装材を取り外す方法であって、固着具を打入して壁下地に留め具本体を固定した留め具のスライド具をスライドさせて、隣り合う外装材のうち一方の外装材の実部に第二係止片を係止させ、この後に留め具の第一係止片に他方の外装材の実部を係止させることによって、スペーサ凸部に外装材の背面を当接させて外装材と留め具本体との間に間隙を形成した状態で、留め具で外装材を壁下地に取り付けるようにし、留め具の第一係止片から上記他方の外装材の実部の係止を外し、この後に留め具のスライド具をスライドさせて、上記一方の外装材の実部から第二係止片の係止を外すことによって、留め具から外装材を取り外すようにしたことを特徴とする、外装材の取り付け及び取り外しの方法。
【発明の詳細な説明】
【技術分野】
【０００１】
本発明は、家屋の外壁を構成する外装材を取り付けるための留め具に関するものであり、またこの留め具を用いた外装材の取り付け及び取り外しの方法に関するものである。
【背景技術】
【０００２】
セメント等の窯業系材料で作製される外装材を壁下地に取り付ける施工は、留め具を用いて行なうのが一般的である（特許文献１等参照）。
【０００３】
図１１はこのような留め具Ｂの一例を示すものであり、留め具本体４の中段部を屋外側へ切り起こして突出させ、両端部に第一係止片７を、中央部に第二係止片９をそれぞれ留め具本体４に一体に設けてある。第一係止片７は先端部を上方へ屈曲してあり、第二係止片９は先端部を下方へ屈曲してある。
【０００４】
一方、外装材１にはその上下両端縁にそれぞれ実部２が設けてある。例えば外装材１の下端縁の実部２は、下方へ開口する実凹部２ａとして、外装材１の上端縁の実部２は、上方へ突出する実突部２ｂとして、形成してある。
【０００５】
上記の留め具Ｂを用いて、上下に隣り合う外装材１を接続しつつ、外装材１のこの接続端部を壁下地３に取り付けるものである。すなわち、図１２（ａ）に示すように、上下に隣り合う外装材１のうち、下側の外装材１ａは、縦胴縁など壁下構造材をなす壁下地３に固定した留め具Ｂの第一係止片７の先端部に、下端部の実凹部２ａを被挿して係止することによって、壁下地３に保持してある。そして図１２（ｂ）のように、この外装材１ａの上端部の実突部２ｂに他の留め具Ｂの第二係止片９の先端部を引掛けて係止した状態で、この留め具Ｂを壁下地３に固定する。留め具Ｂの固定は、留め具本体４に設けた打ち込み孔１６に釘やビス等の固着具１２を通して壁下地３に打入することによって行なうことができる。このように壁下地３に留め具Ｂを固定することによって、外装材１ａの上端部を保持することができ、この外壁材１ａを壁下地３に取り付けることができるものである。
【０００６】
そしてこのように外装材１ａの上端部を保持する留め具Ｂの第一係止片７に、上下に隣り合う外装材１のうち、上側の外装材１ｂの下端部の実凹部２ａを被挿して係止することによって、図１２（ｃ）のようにこの外装材１ｂの下端部を壁下地３に保持することができる。さらに上記と同様にして、この外装材１ｂの上端部の実突部２ｂに他の留め具Ｂの第二係止片９を引掛け係止した状態で、この留め具Ｂを壁下地３に固定することによって外装材１ｂの上端部を保持し、この外壁材１ｂを壁下地３に取り付けることができるものである。
【０００７】
上記のようにして、上下に隣り合う外装材１ａ，１ｂを接続しながら、外装材１ａ，１ｂの対向する端部の実部２を、壁下地３に固定した留め具Ｂの第一係止片７と第二係止片９で係止して保持することによって、各外装材１ａ，１ｂを壁下地３に取り付けることができるものである。
【特許文献１】特開２００８−５７１３２号公報
【発明の開示】
【発明が解決しようとする課題】
【０００８】
上記のように外装材１を張って形成される外壁にあって、外壁をリフォームなどするために外装材１を張り替えることがある。そしてこのように張り替えのために外装材１を取り外すにあたっては、まず留め具Ｂの第一係止片７に対する実凹部２ａの係止を外して、上下に隣り合う外装材１ａ，１ｂのうち上側の外装材１ｂを取り外す（図１２（ｂ）の状態を参照）。次に図１３に示すように、壁下地３から固着具１２を抜いて留め具Ｂを壁下地３から離脱させることによって、下の外装材１ａの上端の実突部２ｂに対する第二係止片９の引掛け係止を外し、この下側の外装材１ａを取り外すことができる。
【０００９】
しかしこの場合、上下に隣り合う外装材１ａ，１ｂのうち下の外装材１ａを取り外すために、壁下地３から固着具１２を抜いて留め具Ｂを外す必要があり、外装材１ａを取り外す作業が面倒であると共に壁下地３を損傷してしまうことがあるという問題があった。しかも固着具１２を壁下地３から抜くことによって、壁下地３に固着具１２の抜き跡穴があくことになり、新たな外装材１ａに張り替えるために留め具Ｂを壁下地３に再度固定する際に固着具１２を壁下地３に打入するときに、打入位置が抜き跡穴に重なると、壁下地３に対する固着具１２の保持力が低下し、留め具Ｂによる外装材１の取り付け強度に問題が生じるものであった。さらに留め具Ｂを取り外す際に、壁下地３に張っている防水紙に孔があき、防水性に問題が生じることもあった。
【００１０】
また、新たな外装材１に張り替える際には、上記のように留め具Ｂを壁下地３に再度固定する必要があり、外装材１を取り付ける際の手間が煩雑になるという問題もあった。
【００１１】
本発明は上記の点に鑑みてなされたものであり、壁下地から留め具を外す必要なく、外装材を取り外したり取り付けたりする作業を行なうことができる外装材の留め具を提供することを目的とするものであり、また外装材の取り付け及び取り外しの方法を提供することを目的とするものである。
【課題を解決するための手段】
【００１２】
本発明に係る外装材の留め具は、隣り合う外装材１の対向する各端部の実部２を係止して、この各外装材１を壁下地３に取り付けるために用いられる留め具Ａであって、固着具１２を打入することによって壁下地３に固定される留め具本体４と、留め具本体４に屋外側へ突出して設けられ、先端が外装材１の背面に当接して外装材１と留め具本体４との間に間隙５を形成するためのスペーサ凸部６と、留め具本体４に屋外側へ突出して設けられると共に先端部を屈曲して形成され、隣り合う一方の外装材１ｂの端部の実部２に係止される第一係止片７と、留め具本体４の屋外面に往復スライド自在に取付けられたスライド具８と、スライド具８に屋外側へ突出して設けられると共に先端部が上記第一係止片７の屈曲方向と逆方向に屈曲して形成され、スライド具８が第一係止片７の屈曲方向と逆方向へスライドすることによって隣り合う他方の外装材１ａの端部の実部２に係止されると共に、スライド具８が第一係止片７の屈曲方向へスライドすることによって実部２との係止が解除される第二係止片９と、を具備して成ることを特徴とするものである。
【００１３】
この発明によれば、スライド具８をスライドさせることによって、外装材１の実部２に対する第二係止片９の係止や係止の解除を行なうことができ、留め具Ａを外す必要なく壁下地３に固定したまま、外装材１を取り外したり取り付けたりする作業を行なうことができるものである。しかもスペーサ凸部６によって外装材１と留め具本体４との間に隙間が形成されるので、この隙間にスライド具８を納めることができ、スライド具８が邪魔になることなく、外装材１の取り外しや取り付けをスムーズに行なうことができるものである。
【００１４】
また本発明は、スライド具８に長孔１３を設け、長孔１３を通したピン１４でスライド具８を留め具本体４に取り付けて成ることを特徴とするものである。
【００１５】
この発明によれば、スライド具８を長孔１３に沿ってスムーズにスライドさせることができ、作業性が向上するものである。
【００１６】
また本発明は、留め具本体４の屋外面に、上記スペーサ凸部６の突出寸法より小さい寸法で突出するガイドレール１０を設け、上記スライド具８をこのガイドレール１０にスライド自在に取り付けて成ることを特徴とするものである。
【００１７】
この発明によれば、スライド具８をガイドレール１０に沿ってスムーズにスライドさせることができるものであり、しかもガイドレール１０は外装材１に当たることがなく、施工に支障を来たすようなことがないものである。
【００１８】
また本発明は、固着具１２を打入する箇所において留め具本体４に固定部１１を設け、上記スライド具８を実部２との係止が解除される方向にスライドさせた際に、スライド具８が固定部１１に乗り上げて保持されるように、固定部１１を屋外側へ膨出させて形成して成ることを特徴とするものである。
【００１９】
この発明によれば、スライド具８をスライドさせた状態に仮保持して、外装材１の取り外しや取り付けを行なうことができるものであり、施工の作業性が向上するものである。
【００２０】
また本発明に係る外装材の取り付け及び取り外しの方法は、上記の留め具Ａを壁下地３に固定し、この留め具Ａで外装材１を壁下地３に取り付け、あるいは留め具Ａから外装材１を取り外す方法であって、固着具１２を打入して壁下地３に留め具本体４を固定した留め具Ａのスライド具８をスライドさせて、隣り合う外装材１のうち一方の外装材１ａの実部２に第二係止片９を係止させ、この後に留め具Ａの第一係止片７に他方の外装材１ｂの実部２を係止させることによって、スペーサ凸部６に外装材１の背面を当接させて外装材１と留め具本体４との間に間隙５を形成した状態で、留め具Ａで外装材１を壁下地３に取り付けるようにし、留め具Ａの第一係止片７から上記他方の外装材１ｂの実部２の係止を外し、この後に留め具Ａのスライド具８をスライドさせて、上記一方の外装材１ａの実部２から第二係止片９の係止を外すことによって、留め具Ａから外装材１を取り外すようにしたことを特徴とするものである。
【００２１】
この発明によれば、壁下地３に固着具１２で留め具Ａを固定したまま、留め具Ａを外す必要なく、外装材１を取り外したり取り付けたりする作業を行なうことができるものであり、留め具Ａを外す際に壁下地３を損傷したり、防水紙に孔があいたりすることがなくなると共に、壁下地３に固着具１２の抜き跡穴があいて固着具１２の保持力が低下し、留め具Ａによる外装材１の取り付け強度に問題が生じることがなくなるものである。
【発明の効果】
【００２２】
本発明によれば、スライド具８をスライドさせることによって、外装材１の実部２に対する第二係止片９の係止や係止の解除を行なうことができ、留め具Ａを外す必要なく壁下地３に固定したまま、外装材１を取り外したり取り付けたりする作業を行なうことができるものである。しかもスペーサ凸部６によって外装材１と留め具本体４との間に隙間が形成されるので、この隙間にスライド具８を納めることができ、スライド具８が邪魔になることなく、外装材１の取り外しや取り付けをスムーズに行なうことができるものである。
【発明を実施するための最良の形態】
【００２３】
以下、本発明を実施するための最良の形態を説明する。
【００２４】
図３は本発明に係る留め具Ａの一例を示すものであり、留め具本体４とスライド具８とから構成されるものであって、留め具本体４とスライド具８のいずれも、例えば板金のプレス加工等で作製することができる。
【００２５】
留め具本体４は図４に示すように略四角形の板状体であって、その両側端縁に沿って前方（屋外側）へ凸屈曲して膨出させることによって、スペーサ凸部６が形成してある。またスペーサ凸部６より内側において留め具本体４の中段部の両側には、切り起しによって一対の第一係止片７が前方へ突出して設けてある。第一係止片７の先端部には上方へ屈曲する差込み部２０が形成してある。また留め具本体４の上端部には固定部１１が設けてある。この固定部１１は前方へく字形に凸曲して突出するものであり、上側は前方へ向けて下り傾斜する上傾斜面２１として形成すると共にこの上傾斜面２１に打ち込み孔２２が穿設してある。また固定部１１の下側は前方へ向け上り傾斜する下傾斜面２３として形成してある。
【００２６】
スライド具８は図５に示すように、縦のスライド片２４の下端に第二係止片９を前方へ突出させて設けることによって形成されるものであり、第二係止片９の先端部には下方へ屈曲する引掛け部２５が形成してある。２６はスライド片２４と第二係止片９の間にかけて膨出するように設けた補強部である。またスライド片２４には上下に長い長孔１３が穿設してある。尚、スライド具８は図５のような形態の他に、図９（ａ）のような形態に形成することも可能である。
【００２７】
留め具本体４には中央部位置において取付孔２８が穿設してあり、留め具本体４の前面側（屋外側）にスライド具８のスライド片２５の背面を重ね、取付孔２８と長孔１３にピン１４を差し込んで端部をかしめてリベット状にして止めることによって、一対の第一係止片７の間の位置にスライド具８を取り付けることができるものである。このように留め具本体４にスライド具８を取り付けることによって、図３のように留め具Ａを形成することができるものであり、スライド具８はピン１４に対する長孔１３のスライドによって、図３（ａ）のように第二係止片９の引掛け部２５が第一係止片７よりも下側へ突出するように下ろされた位置と、図３（ｂ）のように第二係止片９の引掛け部２５の下端が第一係止片７より上側に位置するように引き上げられた位置との間で、上下スライド自在になっている。尚、長孔１３を図９（ｂ）のように、下部に幅が狭い保持部３８を設けた形状に形成するようにしてもよい。保持部３８の幅はピン１４の直径とほぼ同じ寸法に形成してあり、図３（ｂ）のようにスライド具８を引き上げた際に、ピン１４に保持部３８が食い込んで、スライド具８を引き上げた状態に保持することができるものである。
【００２８】
図６は本発明に係る留め具Ａの他の一例を示すものである。留め具本体４の左右一対の第一係止片７の間の位置においてその上側には、図７のように左右一対の平行なガイドレール１０が切り起こして設けてある。この各ガイドレール１０は縦に長く形成され、また相互に対向する横断面Ｌ字形に屈曲して形成されるものであり、さらに各ガイドレール１０の留め具本体４の表面からの突出高さは、スペーサ凸部６の突出高さよりも低くなるように形成してある。留め具本体４はこのように、取付孔２８の代わりにガイドレール１０を設けるようにした他は、図４のものと同じ構成に形成してある。また図８のように、スライド具８は長孔１３を設けない他は、図５のものと同じ構成に形成してある。
【００２９】
そして一対のガイドレール１０内に下側からスライド具８の両側端縁を差し込むことによって、一対の第一係止片７の間の位置にスライド具８を取り付けることができるものである。このように留め具本体４にスライド具８を取り付けることによって、図６のように留め具Ａを形成することができるものであり、スライド具８はガイドレール１０に沿って、図６（ａ）のように第二係止片９の引掛け部２５が第一係止片７よりも下側へ突出するように下ろされた位置と、図６（ｂ）のように第二係止片９の引掛け部２５の下端が第一係止片７より上側に位置するように引き上げられた位置との間で、上下スライド自在になっている。
【００３０】
一方、外装材１はセメント等の窯業系材料を成形して作製されるものであり、上端部と下端部に幅方向全長に亘って実部２がそれぞれ設けてある。外装材１の下端部の実部２は下方へ開口する実凹部２ａとして形成してあり、外装材１の下端部には、実凹部２ａの背面側（屋内側）において下方へ短く突出する裏側垂下片３０が、実凹部２ａの表面側（屋外側）において裏側垂下片３０より下方へ長く突出する表側垂下片３１が、それぞれ設けてある。また外装材１の上端の実部２は、背面側において上方へ突出する実突部２ｂとして形成してある。
【００３１】
次に、上記の留め具Ａを用いて外装材１を壁下地３に取り付ける方法について説明する。図２（ａ）に示すように、外装材１の上端部を保持する留め具Ａ（イで示す）が壁下地３に固定されている。そしてまず外装材１ａの下端の実凹部２ａを、このように壁下地３に固定されている留め具Ａ（イ）の第一係止片７の上向きの差込み部２０に被挿して係止し、この外装材１ａの下端部を留め具Ａ（イ）によって壁下地３に保持する。次に、この外装材１ａの上端の実突部２ｂの位置に合わせて他の留め具Ａ（ロで示す）の高さを位置決めして、図２（ａ）に示すように釘やビス等の固着具１２を打入して留め具Ａ（ロ）を壁下地３の屋外面に固定する。固着具１２は留め具本体４の固定部１１の下り傾斜する上傾斜面２１に設けた打ち込み孔２２に通して、壁下地３に打入されるものであり、上傾斜面２１のこの傾斜によって固着具１２は斜め下方へ向けて壁下地３に打入されることになり、留め具Ａを壁下地３から引き離す方向と、固着具１２の打入方向とが一致しないので、留め具Ａの取付強度を高く得ることができるものである。
【００３２】
このとき、スライド具８は引き上げられた状態にあり、第二係止片９の引掛け部２５の下端は外装材１ａの実突部２ｂの上端よりも上側に位置している。そしてスライド具８のスライド片２４の上端は、留め具本体４の固定部１１に下傾斜面２３から乗り上げるようになっており、スライド片２４の背面が固定部１１に乗り上げて圧接することによって、スライド具８を引き上げた状態に仮保持されるようにしてある。
【００３３】
次に、スライド具８を押し下げて下方へスライドさせることによって、第二係止片９を下方へ移動させ、図２（ｂ）のように第二係止片９の先端部の引掛け部２５を外装材１ａの実突部１ｂに引掛け係止することによって、外装材１ａの上端部を留め具Ａ（ロ）で保持して壁下地３に固定することができる。このようにして、外装材１ａの上下両端部を留め具Ａで保持して壁下地３に取り付けることができるものである。
【００３４】
この後、外装材１ａの上側に隣接する外装材１ｂの下端部の実凹部２ａを、留め具Ａ（ロ）の第一係止片７の先端部の差込み部２０に被挿して係止することによって、図２（ｃ）のように外装材１ｂの下端部を留め具Ａ（ロ）で保持して壁下地３に固定する。そして上記と同様にして、さらに他の留め具Ａ（図２には記載していない）を壁下地３に固着具１２で固定し、この留め具Ａの第二係止片９を外装材１ｂの上端の実突部２ｂに引掛け係止して壁下地３に保持することによって、外装材１ｂを壁下地３に取り付けることができるものである。
【００３５】
このように、上下に隣り合う外装材１ａ，１ｂの対向する上端部と下端部を留め具Ａ（ロ）で接続しつつ壁下地３に保持して、外装材１ａ，１ｂを壁下地３に取り付けることができるものである。このとき外装材１ｂの下端の表側垂下片３０で第二係止片９を覆って隠すようにしてあり、また裏側垂下片３０の下端が第二係止片９の上面を押えることによって、スライド具８が上方へスライドして第二係止片９が浮き上がることを防止し、実突部２ｂへの第二係止片９の係止が外れることを防ぐようにしてある。
【００３６】
また、上記のように留め具Ａで外装材１を壁下地３に取り付けるにあたって、外装材１の背面は留め具本体４に突設したスペーサ凸部６の先端に当接した状態で保持されている。従って、スペーサ凸部６の留め具本体４から屋外側への突出寸法に応じた間隔で、外装材１の背面と留め具本体４の間に間隙５が形成されるものである。そしてスライド具８はこの隙間５に納められるように配置されるので、スライド具８が外装材１の取り付けに支障となるようなことがなくなるものである。またスペーサ凸部６によって外装材１と壁下地３との間に通気用間隙を形成することもできるものであり、特別なスペーサ具などを別途用いる必要なく、留め具Ａを利用して壁内に通気用間隙を形成することができるものである。
【００３７】
図１０は外装材１を張って形成した外壁の構造を示すものであり、３４は柱、３５は間柱、３６は柱３４や間柱３５の屋外面に取付けられた縦胴縁、３３は柱３４や間柱３５に掛け渡して貼った防水紙であり、これらによって壁下地３が形成されるものである。図の実施の形態では縦胴縁３６に留め具Ａを固定するようにしてある。
【００３８】
次に、外壁のリフォームなどで外装材１を張り替えるために、上記の図２（ｃ）のように取付けられた状態から外装材１を取り外すにあたっては、まず図１（ａ）のように上の外装材１ｂの下端の実凹部２ａを留め具Ａ（ロ）の第一係止片７から抜いて、この外装材１ｂを取り外す。次に留め具Ａ（ロ）のスライド具８を上方へスライドさせることによって第二係止片９を引き上げ、図１（ｂ）のように下の外装材１ａの上端の実突部２ｂに対する第二係止片９の係止を外す。このようにスライド具８を上方へスライドさせると、スライド片２４の上端が固定部１１に乗り上げて、スライド具８は引き上げた状態に仮保持される。
【００３９】
この状態で、図１（ｃ）のように外装材１ａの下端の実凹部２ａを留め具Ａ（イ）の第一係止片７から抜くことによって、この外装材１ｂを取り外すことができる。さらに同様にして、図１（ｄ）のように留め具Ａ(イ）のスライド具８を上方へスライドさせて第二係止片９を引き上げ、外装材１ａの下側の外装材１を取り外すことができる。
【００４０】
このようにして、留め具Ａを壁下地３に固定した状態のまま、スライド具８を上方へスライドさせて第二係止片９を引き上げることによって、外装材１の実突部１ｂへの係止を外して、外装材１を取り外すことができるものである。従って、留め具Ａを外す必要がないので、留め具Ａを外す際に壁下地３を損傷したり、防水紙３３に孔があいたりするようなことがなくなるものである。
【００４１】
次に新たな外装材１に張り替えるために、新たな外装材１の取り付けを行なう。外装材１の取り付けの作業は、図１（ａ）（ｂ）（ｃ）（ｄ）と逆の手順で行なうことができる。このとき、留め具Ａは外装材１の上下幅に合った間隔で壁下地３に固定されているので、上下の留め具Ａ間に外装材１を嵌め込むことによって外装材１の取り付けを行なうことができる。例えば上下に隣り合う外装材１ａ，１ｂについて説明すると、図１（ｃ）から図１（ｂ）へのように、下側の外装材１ａの下端の実凹部２ａを、上下に隣り合う留め具Ａのうち下の留め具Ａ（イ）の第一係止片７に被挿して係止した状態で、この外装材１ａを上下の留め具Ａ間に嵌め入れ、次に上の留め具（ロ）のスライド具８を下方へスライドさせて第二係止片９を下動させ、図１（ａ）のように第二係止片９を外装材１ａの実突部１ｂに引掛け係止する。このようにして外装材１ａを上下の留め具Ａで保持して壁下地３に取り付けることができる。
【００４２】
この後、図１（ａ）のように、上側の外装材１ｂの下端部の実凹部２ａを留め具Ａ（ロ）の第一係止片７に被挿して係止し、さらに上記と同様にして、他の留め具Ａ（図１には記載していない）の第二係止片９を外装材１ｂの上端部の実突部２ｂに引掛け係止して壁下地３に保持することによって、この外装材１ｂを壁下地３に取り付けることができるものである。
【００４３】
このように、張り替えのための新たな外装材１を取り付ける際には、壁下地３に既設されている留め具Ａをそのまま用いることができる。従って、古い留め具Ａを外して再度留め具Ａを取り付け直すような手間が不要になり、作業の効率性を高めることができるものである。また、固着具１２を壁下地３から抜いて留め具Ａを外した後に、再度固着具１２を打入して留め具Ａを取り付け直す場合のような、固着具１２の抜き跡穴と固着具１２の打入位置が重なることによる留め具Ａの固定強度の低下で外装材１の取り付け強度に問題が生じるようなことがなくなるものである。
【００４４】
尚、上記の各実施の形態では、横長に外装材１を張って、外装材１を上下方向に接続する横張りの工法について説明したが、縦長に外装材１を張って、外装材１を横方向に接続する縦張りの工法にも、本願発明が適用されるのは、いうまでもない。
【図面の簡単な説明】
【００４５】
【図１】本発明の実施の形態の一例を示すものであり、（ａ）〜（ｄ）は外装材の取り外しの手順を示す断面図である。
【図２】本発明の実施の形態の一例を示すものであり、（ａ）〜（ｃ）は外装材の取り付けの手順を示す断面図である。
【図３】本発明に係る留め具の一例を示すものであり、（ａ）（ｂ）は正面図である。
【図４】同上の留め具の留め具本体を示すものであり、（ａ）は正面図、（ｂ）は（ａ）のａ−ａ断面図、（ｃ）は（ａ）のｂ−ｂ断面図である。
【図５】同上の留め具のスライド具を示すものであり、（ａ）は正面図、（ｂ）は側面図、（ｃ）は底面図である。
【図６】本発明に係る留め具の他の一例を示すものであり、（ａ）（ｂ）は正面図である。
【図７】同上の留め具の留め具本体を示すものであり、（ａ）は正面図、（ｂ）は（ａ）のａ−ａ断面図、（ｃ）は（ａ）のｂ−ｂ断面図である。
【図８】同上の留め具のスライド具を示すものであり、（ａ）は正面図、（ｂ）は側面図、（ｃ）は底面図である。
【図９】留め具のスライド具の他の実施の形態を示すものであり、（ａ）は斜視図、（ｂ）は長孔の形状を示す図である。
【図１０】外装材を張って形成した外壁の構造を示す斜視図である。
【図１１】従来例の留め具を示す斜視図である。
【図１２】従来例を示すものであり、（ａ）〜（ｃ）は外装材の取り付けの手順を示す断面図である。
【図１３】従来例における外装材の取り外しを示す断面図である。
【符号の説明】
【００４６】
１  外装材
２  実部
３  壁下地
４  留め具本体
５  通気用間隙
６  スペーサ凸部
７  第一係止片
８  スライド具
９  第二係止片
１０  ガイドレール
１１  固定部
１２  固着具
１３  長孔
１４  ピン
【図１】
2010126952.tif 000003
【図２】
2010126952.tif 000004
【図３】
2010126952.tif 000005
【図４】
2010126952.tif 000006
【図５】
2010126952.tif 000007
【図６】
2010126952.tif 000008
【図７】
2010126952.tif 000009
【図８】
2010126952.tif 000010
【図９】
2010126952.tif 000011
【図１０】
2010126952.tif 000012
【図１１】
2010126952.tif 000013
【図１２】
2010126952.tif 000014
【図１３】
2010126952.tif 000015